(57)【要約】      （修正有）【課題】天然の苺の甘酸っぱい香りを楽しむことができ、肌の美白効果や老化防止等の効能も期待できるとともに、変色や変性の少ない石鹸を提供する。【解決手段】苺の一品種であるとちおとめの天然エキス成分と、カリウム含有石鹸素地と、精製水と、ミリスチン酸と、パルミチン酸と、ラウリン酸と、濃グリセリンと、香料と、ヒドロキシエタンジホスホン酸四ナトリウムと、ベンガラとから構成した。また、とちおとめの天然エキス成分が、濃縮された果汁又は抽出精製された精油である場合は、該其々の含有率を全体に対して所定範囲内にする構成のとちおとめ石鹸とすることもできる。【選択図】図１
0003160620.tif 000002
【実用新案登録請求の範囲】
【請求項１】
苺の一品種であるとちおとめの天然エキス成分を含有する石鹸であって、該石鹸成分が、とちおとめの天然エキス成分と、カリウム含有石鹸素地と、精製水と、ミリスチン酸と、パルミチン酸と、ラウリン酸と、濃グリセリンと、香料と、ヒドロキシエタンジホスホン酸四ナトリウムと、ベンガラとから構成されることを特徴とするとちおとめ石鹸。
【請求項２】
前記とちおとめの天然エキス成分が、濃縮された果汁であって、該濃縮果汁の含有量が全体の割合に対して０．５％から２．５％の範囲内であることを特徴とする請求項１に記載のとちおとめ石鹸。
【請求項３】
前記とちおとめの天然エキス成分が、抽出精製された精油であって、該精油の含有量が全体の割合に対して０．１％から０．５％の範囲内であることを特徴とする請求項１に記載のとちおとめ石鹸。
【考案の詳細な説明】
【技術分野】
【０００１】
本考案は、とちおとめの天然エキス成分を含有する石鹸に関し、詳しくは、とちおとめの天然エキス成分の含有量が全体の割合に対して所定の範囲内であることを特徴とする石鹸に関する。
【背景技術】
【０００２】
苺は、生食だけではなくケーキに使用したり、ジャムやジュース、あるいは菓子などにも広く使用され、子供から大人まで幅広く人気がある果物である。日本の苺の生産量は世界的にもトップクラスであり、生食の消費量でいえば世界一である。このような事情から、日本人が苺を好む傾向の強い国民であることがわかる。欧米では、苺はジャムやジュース、あるいはアイスクリームにして食すのが一般的であるが、これは、アメリカなどでは広大な土地で栽培を行って機械での大量収穫を行うため、多少のことでは腐敗しにくい硬めの品種を使っているのに対し、我が国ではハウス栽培が中心で、人の手によって収穫されているため、香りもよく甘い品種の改良が進んだことにあると考えられる。近年においては、イチゴの品種の中でも、甘みも香りもほどよい「とちおとめ」（原産：栃木県農業試験場栃木分場  登録番号第5248号）に人気がある。
【０００３】
そこで、苺の香りを飲食以外でも楽しめるように、苺の香りのする石鹸も販売させている。しかし、これらの石鹸は、化学的に合成された合成香料を多数調合して作られるフレグランス等を用い、着色についても食用色素による着色料が用いられているのが一般的である。これは、天然の苺の成分をそのまま石鹸に含有させても、石鹸を組成する他の成分やピーエイチ（ｐＨ：potential
Hydrogen、 power of Hydrogen）により、変色や変性等しやすいからである。
【０００４】
しかし、化学合成される苺のフレグランスや、食品添加物としてのフレーバーを用いると、現実の苺の香りよりも甘さを強く感じてしまい、本物の苺の甘酸っぱい香りを創出することができないという問題がある。また、明らかに着色による色合いであることがわかってしまうという問題もある。
【０００５】
他方、本物の苺はビタミンＣを１００ｇあたりに８０ｍｇも含んでおり、数ある食品の中でもその含有量はトップクラスであることから、肌の美白効果や老化防止等の効能が期待できる。また、苺には、フラボノイドの一種で抗酸化物質としても知られている赤色の食用色素でもあるアントシアニン（anthocyanin）を多く含んでいるので、自然な色合いを創出し、ビタミンＣ及びアントシアニンの抗酸化物質による酸化防止効果により変色及び変性を防止する効果も期待できる。
【０００６】
そこで、本考案者は、このような苺特有の成分と、苺の品種の中でも香りの強さが程良いとちおとめの香り成分を上手く利用すれば、苺本来の香りと肌の美白効果や老化防止等の効能が期待できる石鹸の提供ができるのではないかとの着想の下、実験を試みた。
【０００７】
なお、生試料の乾燥体をそのまま含む石鹸に係る技術も提案されているが（特許文献１及び２参照）、係る技術は生試料の乾燥体をそのまま封入し、石鹸表面に密着している状態のものであり、とちおとめ天然エキス成分が濃縮果汁や、圧搾法により精製された精油である液体状である本考案とは技術的アプローチが異なる。
【先行技術文献】
【特許文献】
【０００８】
【特許文献１】特開２００４−２７７５号公報
【特許文献２】特許第４３２２５３２号公報
【考案の概要】
【考案が解決しようとする課題】
【０００９】
本考案は、前記実情に鑑み、天然の苺の甘酸っぱい香りを楽しむことができ、肌の美白効果や老化防止等の効能も期待できるとともに、変色や変性の少ない石鹸の提供を図るものである。
【課題を解決するための手段】
【００１０】
本考案は、苺の一品種であるとちおとめの天然エキス成分を含有する石鹸であって、該石鹸成分が、とちおとめの天然エキス成分と、カリウム含有石鹸素地と、精製水と、ミリスチン酸と、パルミチン酸と、ラウリン酸と、濃グリセリンと、香料と、ヒドロキシエタンジホスホン酸四ナトリウムと、ベンガラとから構成されるとちおとめ石鹸とした。
【００１１】
また、本考案は、前記とちおとめの天然エキス成分が、濃縮された果汁であって、該濃縮果汁の含有量が全体の割合に対して０．５％から２．５％の範囲内である構成のとちおとめ石鹸とすることもできる。
【００１２】
また、本考案は、前記とちおとめの天然エキス成分が、抽出精製された精油であって、該精油の含有量が全体の割合に対して０．１％から０．５％の範囲内である構成のとちおとめ石鹸とすることもできる。上記手段によれば、以下のような作用が得られる。
【考案の効果】
【００１３】
本考案に係るとちおとめ石鹸によれば、天然の甘酸っぱい苺の香りを楽しむことができ、肌の美白効果や老化防止等の効能が期待できる石鹸を提供できるという優れた効果を奏し得る。
【００１４】
本考案に係るとちおとめ石鹸によれば、苺特有の成分を上手く利用することで、添加剤の量を従来の果汁エキス入り石鹸と比して、少ない量でも変色や変性がしにくいという優れた効果を奏し得る。
【図面の簡単な説明】
【００１５】
【図１】本考案に係るとちおとめ石鹸の説明斜視図である。
【考案を実施するための形態】
【００１６】
本考案に係るとちおとめ石鹸は、とちおとめの天然エキス成分を含有していることを最大の特徴とする。以下、本考案の実施の形態を説明する。
【００１７】
図１は本考案に係るとちおとめ石鹸の説明斜視図であり、図１（ａ）は略円盤状に形成した場合、図１（ｂ）は略長方形平板状に形成した場合、図１（ｃ）は苺をモチーフに形成した場合を示している。ただし、本考案は形状に限定されるものではなく、図面に示した形状はあくまで例示である。
【００１８】
製造方法については、油を「脂肪酸」と「グリセリン」に分解して、グリセリンを取り除き、残った脂肪酸だけ苛性ソーダを反応させ、石けんを作る中和法を用いれば数時間ほどで石けんが出来上がるので、非常に効率が良く経済的である。ただし、大量生産には向いているものの、保湿成分としてのグリセリンが含まれないので、洗い上がりが悪くなるとう欠点がある。また、良質の天然油脂（脂肪酸とグリセリンが結合している状態）をケン化釜で炊きながら、苛性ソーダを少しづつ加え、ゆっくりと反応させていく通常のホットプロセス製法（高温によるケン化法）では、100℃以上の高温で製造するため、天然成分を壊し易く、残有グリセリンの量も少ない。そこで、本考案に係るとちおとめ石鹸の製造方法においては、天然エキス成分の効果だけでなく、石鹸自体も高品質なものとすべく、コールドプロセス（低温によるケン化法）製法が望ましい。該コールドプロセス製法によれば、製造時間はかかるものの、製造過程で自然に発熱する約30〜45℃の低温熱を利用しで製造するため、天然成分を破壊せず、そのまま石鹸に閉じ込める利点があり、また、苛性ソーダの量を減量してケン化させるため、低アルカリで油脂が適度に残り、よりいっそう保湿性を高めることができるからである。ただし、製法自体は特に限定されるものではない。
【００１９】
本考案に係るとちおとめ石鹸の原料には、とちおとめの天然エキス成分と、カリウム含有石鹸素地と、精製水と、ミリスチン酸と、パルミチン酸と、ラウリン酸と、濃グリセリンと、香料と、ヒドロキシエタンジホスホン酸四ナトリウムと、ベンガラを使用する。
【００２０】
カリウム含有石鹸素地には、パーム油などの植物性油脂など天然由来のものを使用し、パーム油等だけでは足りない飽和脂肪酸については、ミリスチン酸、パルミチン酸及びラウリン酸を添加して調整する。また、石鹸原料の酸化や変臭、変色等の変性の原因となる金属イオンを封鎖するために、ヒドロキシエタンジホスホン酸四ナトリウムを含有させる。さらに、とちおとめ自体の有するアントシアニンだけでは足らない色素についてはベンガラ（酸化第二鉄）で調整し、香りの調整には香料（Ｎｏ．2566  STRAWBERRY）を用いる。
【００２１】
また、ケン化法で生産した場合は、パーム油などの植物性油脂に含まれていたグリセリンが数％残るが、より優れた保湿効果、粘度保持、皮膚に対する柔軟性の向上や、滑りをよくする働きを高めるため、濃グリセリンを添加する。
【００２２】
前記とちおとめの天然エキス成分の含有量が全体の割合に対して０．５％から３％の範囲内になるようにするのは、０．５％よりも少ないと、香りや色彩が不十分となり、前記香料及びベンガラの調整量が多くなってしまい、本考案の目的である苺本来の甘酸っぱい香りや色を創出できなくなるからである。他方、３％を超えると、前記ヒドロキシエタンジホスホン酸四ナトリウムの調整量を多くしなければならなくなり、人体への影響を十分に配慮する必要があるからである。
【００２３】
とちおとめの天然エキス成分は、固形工程の直前にニートソープ（溶解状態）に含有させ、十分に攪拌してから冷却し、結晶化させる。
【００２４】
前記とちおとめの天然エキス成分が、濃縮（真空濃縮・凍結濃縮・膜濃縮等）された果汁である場合は、全体の割合に対して０．５％から２．５％の範囲内になるようにするが、圧搾法により精製された精油である場合は、全体の割合に対して０．１％から０．５％の範囲内になるようにする。濃縮状態及び精油の抽出状態にもよるが、濃縮果汁と精油とでは、香り成分の含有率が異なるからである。本考案に係るとちおとめ石鹸１０の成分表を下記に示す。
【００２５】
【表１】
0003160620.tif 000003
【符号の説明】
【００２６】
１０  とちおとめ石鹸
２０  天然エキス成分
３０  石鹸素地
【図１】
0003160620.tif 000004